(57)【要約】【課題】コンバインドサイクル発電プラントの効率を向上させること。【解決手段】コンバインドサイクル発電プラントは、プラントの効率を向上させるために、吸収熱変換器を利用する。熱回復蒸気発生器は、ガスタービンから排気を受け取り、蒸気タービンに入力される蒸気を発生する。熱回復蒸気発生器は、低圧エコノマイザと、中間圧エコノマイザと、高圧エコノマイザとを含む。吸収熱変換器は、低圧エコノマイザと流体的に連絡されている。吸収熱変換器は給水回路を含む。この給水回路は、吸収熱変換器によって加熱されるように低圧エコノマイザから排水を引き出し、加熱された水を中間圧エコノマイザと前記高圧エコノマイザとの少なくとも一方に導く。【選択図】図１
2014092158.tif 000002
【特許請求の範囲】
【請求項１】
ガスタービンと蒸気タービンとを含むコンバインドサイクルタービンであって、
低圧エコノマイザと中間圧エコノマイザと高圧エコノマイザとを含んでおり、前記ガスタービンから排気を受け取り前記蒸気タービンに入力される蒸気を発生する熱回復蒸気発生器と、
前記低圧エコノマイザと流体的に連絡している吸収熱変換器であって、この吸収熱変換器による加熱のために前記低圧エコノマイザから排水を引き出し加熱された水を前記中間圧エコノマイザと前記高圧エコノマイザとの少なくとも一方に導く給水回路を含む、吸収熱変換器と、
を備えているコンバインドサイクルタービン。
【請求項２】
前記給水回路が前記低圧エコノマイザからの前記排水を流す給水抽出ラインを備えており、前記給水抽出ラインは熱ラインとエネルギーラインとに並列に分割され、前記熱ラインと前記エネルギーラインとは前記吸収熱変換器に入力される、請求項１記載のコンバインドサイクルタービン。
【請求項３】
前記吸収熱変換器が、復水器ラインを経由して前記吸収熱変換器と連絡している復水器を更に備えている、請求項２記載のコンバインドサイクルタービン。
【請求項４】
前記復水器が前記蒸気タービンと共有されている、請求項３記載のコンバインドサイクルタービン。
【請求項５】
前記給水回路が前記エネルギーラインと直列のポンプを更に備え、前記ポンプは前記エネルギーラインにおける給水を前記低圧エコノマイザに戻す、請求項２記載のコンバインドサイクルタービン。
【請求項６】
前記熱回復蒸気発生器が低圧蒸発器を備えており、前記給水回路が前記低圧エコノマイザから排水を抽出する蒸発器ラインを備えている、請求項５記載のコンバインドサイクルタービン。
【請求項７】
前記吸収熱変換器が、前記排水をより低品位のエネルギーから高品位のエネルギーに加熱するように構成されている、請求項１記載のコンバインドサイクルタービン。
【請求項８】
前記より低品位のエネルギーが華氏３００度未満の前記排水で構成され、前記高品位のエネルギーが少なくとも華氏３５０度の加熱された水で構成される、請求項７記載のコンバインドサイクルタービン。
【請求項９】
前記熱回復蒸気発生器が前記低圧エコノマイザと前記吸収熱変換器との間に配置された独立水回路を備えており、前記吸収熱変換器が、前記独立水回路を経由して前記低圧エコノマイザから前記排水を引き出す、請求項１記載のコンバインドサイクルタービン。
【請求項１０】
ガスタービンから排気を受け取り蒸気タービンに入力される蒸気を発生する熱回復蒸気発生器と、前記熱回復蒸気発生器における低圧エコノマイザと流体的に連絡している吸収熱変換器とを含むコンバインドサイクル発電プラントにおける給水回路であって、
排水を前記低圧エコノマイザから前記吸収熱変換器へ流す給水抽出ラインと、
前記給水抽出ラインから分割された熱ラインと、
前記熱ラインと並列に前記給水抽出ラインから分割され、前記熱ラインと別々に前記吸収熱変換器に入力されるエネルギーラインと、
を備えている給水回路。
【請求項１１】
前記吸収熱変換器の復水器と流体的に連絡する復水器ラインを更に備えている、請求項１０記載の給水回路。
【請求項１２】
前記エネルギーラインと直列のポンプを更に備えており、前記ポンプは前記エネルギーラインにおける給水を前記低圧エコノマイザに戻す、請求項１１記載の給水回路。
【請求項１３】
前記熱回復蒸気発生器が低圧蒸発器を備えており、この給水回路が前記低圧エコノマイザから排水を抽出する蒸発器ラインを備えている、請求項１２記載の給水回路。
【請求項１４】
前記低圧エコノマイザと前記吸収熱変換器との間に配置された独立水回路を更に備えており、前記給水抽出ラインが、前記独立水回路を経由して前記低圧エコノマイザから前記排水を引き出す、請求項１０記載の給水回路。
【請求項１５】
ガスタービンと蒸気タービンとを含むコンバインドサイクルタービンを動作させる方法であって、
低圧エコノマイザと中間圧エコノマイザと高圧エコノマイザとを含む熱回復蒸気発生器を用いて前記ガスタービンから排気を受け取り、前記熱回復蒸気発生器を用いて、前記蒸気タービンに入力される蒸気を発生するステップと、
排水を前記低圧エコノマイザから吸収熱変換器に引き出すステップと、
前記吸収熱変換器を用いて、前記排水を、より低品位のエネルギーからより高品位のエネルギーに加熱するステップと、
前記加熱された水を前記中間圧エコノマイザと前記高圧エコノマイザとの少なくとも一方に導くステップと、
を備えている方法。
【請求項１６】
前記引き出すステップは前記排水を熱ラインと前記熱ラインと並列のエネルギーラインとの間で分割することによって実行され、前記熱ラインと前記エネルギーラインとは前記吸収熱変換器に別々に入力される、請求項１５記載の方法。
【発明の詳細な説明】
【技術分野】
【０００１】
本発明は、コンバインドサイクルガスタービン発電プラントにおけるプラント効率を向上させることに関し、より詳細には、吸収熱変換器を含むコンバインドサイクル発電プラントに関する。
【背景技術】
【０００２】
典型的なコンバインドサイクルシステムでは、ガスタービンが、膨張してタービンを回転させ電気を生産するために発電機を駆動する燃料と空気との混合物を、燃焼させる。燃焼の高温ガスは、ボイラのように水が蒸気に変換される熱回復蒸気発生器の中へ排気される。このようにして作られた蒸気は、典型的には高圧、中間圧および低圧タービンを備えている蒸気タービンを駆動するが、蒸気タービンにおいては、追加的な電力を生産するための第２の発電機など更なる負荷を駆動するために、追加的な仕事が抽出される。ガスタービンと蒸気タービンとは、いくつかの構成では、共通のひとつの発電機を駆動するが、別の構成では、異なる複数の発電機を駆動する。
【０００３】
コンバインドサイクルガスタービン発電プラントでは、煙道ガスの排気部が低温である低圧エコノマイザ部において、エネルギーが十分に利用されていない。よって、より低品位のエネルギーを用いてプラントの効率を向上させることが望まれる。
【０００４】
吸収熱変換器（ＡＨＴ）とは、工業的な過程における正しい熱的整合には低すぎる温度で利用可能な大きな熱源を、より高い温度レベルで利用可能である、より小さな熱量に変換する装置である。ＡＨＴは、電力または仕事を消費しない（または、非常に限られた量だけしか消費しない）という点で、伝統的なヒートポンプとは異なる。基本的には、ＡＨＴは、吸収逆サイクルの原理に基づいて動作する。しかし、正味の効果は、より高い温度レベルで（元々利用可能であったよりも小さな）熱量を伝達するというものである。そうすることで、この熱を工業的な過程に回復させることが可能になる。
【先行技術文献】
【特許文献】
【０００５】
【特許文献１】米国特許出願公開第２０１１／０１３２７４１号公報
【発明の概要】
【課題を解決するための手段】
【０００６】
ある例示的な実施形態では、コンバインドサイクルタービンは、熱回復蒸気発生器と吸収熱変換器とを含む。熱回復蒸気発生器は、ガスタービンから排気を受け取り、蒸気タービンに入力される蒸気を発生する。熱回復蒸気発生器は、低圧エコノマイザと、中間圧エコノマイザと、高圧エコノマイザとを含む。吸収熱変換器は、低圧エコノマイザと流体的に連絡されている。吸収熱変換器は給水回路を含む。この給水回路は、吸収熱変換器による加熱されるように低圧エコノマイザから排水を引き出し、加熱された水を中間圧エコノマイザと前記高圧エコノマイザとの少なくとも一方に導く。
【０００７】
別の例示的な実施形態では、コンバインドサイクル発電プラントにおける給水回路は、排水を低圧エコノマイザから吸収熱変換器へ流す給水抽出ラインを含む。熱ラインは給水抽出ラインから分割され、エネルギーラインは熱ラインと並列に給水抽出ラインから分割される。熱ラインとエネルギーラインとは、吸収熱変換器に、別個に入力される。
【０００８】
更に別の例示的な実施形態では、コンバインドサイクルタービンを動作させる方法は、低圧エコノマイザと中間圧エコノマイザと高圧エコノマイザとを含む熱回復蒸気発生器を用いてガスタービンから排気を受け取り、熱回復蒸気発生器を用いて蒸気タービンに入力される蒸気を発生するステップと、排水を低圧エコノマイザから吸収熱変換器に引き出すステップと、吸収熱変換器を用いて、排水を、より低い品位のエネルギーからより高い品位のエネルギーに加熱するステップと、加熱された水を中間圧エコノマイザと高圧エコノマイザとの少なくとも一方に導くステップと、を含む。
【図面の簡単な説明】
【０００９】
【図１】コンバインドサイクル発電プラントの概略的な図解である。
【図２】吸収熱変換器を含む熱回復蒸気発生器の低圧エコノマイザを示す概略的な図解である。
【図３】別の形の設計を示す概略図である。
【発明を実施するための形態】
【００１０】
図１は、コンバインドサイクル発電プラントの概略的な図解である。コンバインドサイクル発電プラントの構造および動作は広く知られているので、その詳細については説明しない。典型的なコンバインドサイクルシステムでは、ガスタービン１２が燃料と空気との混合物を燃焼させると、この混合物が膨張することにより、タービンが回転し、電気の生産のための発電機が駆動される。燃焼の高温ガスは熱回復蒸気発生器（ＨＲＳＧ）１４の中に排気され、熱回復蒸気発生器１４では水が蒸気に変換される。こうして作られた蒸気が蒸気タービン１６を駆動する。蒸気タービン１６は、典型的には、高圧、中間圧および低圧タービンを含んでおり、この中で追加的な仕事が抽出される。他の部品の中では、熱回復蒸気発生器１４は、低圧エコノマイザ２０を備えた低圧部１８と、中間圧エコノマイザ２４を備えた中間圧部２２と、高圧エコノマイザ２８を備えた高圧部２６とを含む。
【００１１】
説明している実施形態のシステムでは、吸収熱変換器（ＡＨＴ）３０が、熱回復蒸気発生器１４の低圧エコノマイザ２０と流体的な連絡を有するように設けられている。吸収熱変換器の機能および動作は知られているので、その詳細については説明しない。図２を参照すると、吸収熱変換器３０は給水回路３２を含む。この給水回路３２は、吸収熱変換器３０による加熱のために低圧エコノマイザ２０から排水を引き出し、加熱された水を、中間圧エコノマイザ２４と高圧エコノマイザ２８との少なくとも一方に導く。
【００１２】
給水回路３２は、低圧エコノマイザ２０からの排水を流す給水抽出ライン３４を含む。この給水抽出ライン３４は、熱ライン３６とエネルギーライン３８とに並列に分割される。図２に示されているように、熱ライン３６とエネルギーライン３８とは、吸収熱変換器３０に入力される。回路３２は、また、低圧エコノマイザ２０からの排水を低圧蒸発器４２に抽出する蒸発器ライン４０を含む。低圧ドラムと接続されている低圧蒸発器４２は、電力を発生する蒸気タービンのための低圧蒸気を発生する。低圧とは、５０〜１００ｐｓｉｇであり、好ましくは６０〜８０ｐｓｉｇである。
【００１３】
吸収熱変換器３０は、更に、復水器ライン４６を経由してこの吸収熱変換器３０と連絡する復水器４４を含む。復水器４４は、ＡＨＴ３０のための冷却水を冷却するように機能する。ある好適な実施形態によると、復水器４４は、蒸気タービン復水器と共有される。
【００１４】
ポンプ４８は、エネルギーライン３８と直列に設けられている。ポンプ４８は、エネルギーライン３８における給水を、低圧エコノマイザ２０に戻す。
【００１５】
吸収熱変換器３０は、低圧エコノマイザからの十分に活用されていないより低品位のエネルギーを高品位のエネルギーに変換するように機能する。例示的な構成では、低圧エコノマイザ２０から抽出された給水は、華氏３００度でありうる。排水の温度を高品位のエネルギーまで上昇させることが望まれるが、これには、少なくとも華氏３５０度の水温が含まれる。吸収熱変換器３０を用いると、エネルギーライン３８からのエネルギーを、熱ライン３６における給水を少なくとも華氏３５０度まで加熱するために抽出することが可能である。加熱された水は、次に、中間圧エコノマイザ２４および／または高圧エコノマイザ２８まで運ぶために、蒸発器給水ポンプ５０に導かれる。
【００１６】
図３には別の実施形態が示されているが、この実施形態では、低圧エコノマイザ２０と吸収熱変換器３０との間に、独立水回路５２が配置されている。この実施形態では、吸収熱変換器３０が、独立水回路５２を経由して、低圧エコノマイザ２０から排水を引き出す。独立水回路５２は、ガスタービン煙道ガスと低圧（ＬＰ）エコノマイザとの間での最適な熱移動のための効果を提供する。排気におけるＡＨＴのための独立水回路５２は、ＡＨＴのために、図２に示されている実施形態の場合とは異なる水供給温度を与えることができる。低圧（ＬＰ）蒸発器への水供給とＡＨＴへの水供給とを切り離すことにより、効率の向上を最大化するための追加的な最適化が可能になる。
【００１７】
吸収熱変換器をコンバインドサイクル発電プラントに組み入れることにより、全体的な発電プラントの効率を向上させることができる。このシステムは、ＨＲＳＧの最終段における低品位エネルギーを高品位エネルギーに変換することにより、コンバインドサイクル発電プラントにおける廃熱を減少させ、よって、発電プラントの効率を向上させる。
【００１８】
以上では、本発明を、最も現実的で好適な実施形態であると現時点で考えられているものとの関係で説明してきた。しかし、本発明は、開示されている実施形態に限定されることはなく、逆に、添付の特許請求の範囲の精神および範囲に属する様々な修正と均等な構成とに及ぶことが意図されていることを理解すべきである。
【符号の説明】
【００１９】
１２  ガスタービン
１４  熱回復蒸気発生器
１６  蒸気タービン
１８  低圧部
２０  低圧エコノマイザ
２２  中間圧部
２４  中間圧エコノマイザ
２６  高圧部
２８  高圧エコノマイザ
３０  吸収熱変換器
３２  給水回路
３４  給水抽出ライン
３６  熱ライン
３８  エネルギーライン
４０  蒸発器ライン
４２  低圧蒸発器
４４  復水器
４６  復水器ライン
４８  ポンプ
５０  ボイラ給水ポンプ
５２  独立水回路
【図１】
2014092158.tif 000003
【図２】
2014092158.tif 000004
【図３】
2014092158.tif 000005